(57)【特許請求の範囲】
【請求項１】
光源となるバルブを保持する複数のバルブソケットと、該バルブソケットを収納するランプボディと、該ランプボディを前面から覆う前面カバーと、を備える車両用灯具において、
前記ランプボディに複数形成され、前記複数のバルブソケットを挿入させるバルブソケットの固定部と、
前記バルブソケットの仮止部を複数有し、前記複数のバルブソケットが前記仮止部にそれぞれ仮止めされた仮止部材と、が設けられ、
前記バルブソケットが、
仮止めされた前記バルブソケットを前記固定部へ挿入する際に弾性変形すると共に前記固定部の所定の固定位置で弾性変形前の元の位置に復帰して、前記ランプボディと仮止部材を挟持する弾性部を備えたことを特徴とする車両用灯具。
【請求項２】
前記弾性部は、前記ランプボディ及び前記仮止部材の合計板圧と略同一の奥行きを備えた凹部を有し、
前記ランプボディ及び前記仮止部材は、前記凹部において弾性部材に挟持されることを特徴とする請求項１に記載の車両用灯具。
【請求項３】
前記バルブソケットには、前記弾性部と異なる位置に付勢手段が設けられ、
前記付勢手段が、前記ランプボディと仮止部材の双方を前記弾性部に向けて付勢することを特徴とする請求項１または２記載の車両用灯具。
【請求項４】
前記複数のバルブソケットを集約して接続した集約コネクタを前記仮止部材に配置したことを特徴とする請求項１から３のうちいずれかに記載の車両用灯具。
【請求項５】
光源となるバルブを保持する複数のバルブソケットと、該バルブソケットを収納するランプボディと、該ランプボディを前面から覆う前面カバーと、を備える車両用灯具の組立方法において、
前記バルブソケットの仮止部を複数形成した仮止部材に、前記複数のバルブソケットを仮止めする第１の行程と、
前記バルブソケットに設けた弾性部を弾性変形させつつ、前記仮止部材に仮止めした前記複数のバルブソケットを前記ランプボディに複数設けた固定部に挿入する第２の行程と、
前記固定部の所定の固定位置で元の位置に復帰させた前記弾性部を介して前記ランプボディと仮止部材を挟持させる第３の行程と、
を有することを特徴とする、車両用灯具の組立方法。
【発明の詳細な説明】
【技術分野】
【０００１】
本発明は、光源となるバルブの組み付けが容易で、組み付けコストが安く、バルブ取付部に対するバルブの位置精度が高い車両用灯具と、車両用灯具の組立方法に関する発明である。
【背景技術】
【０００２】
車両用灯具の光源となるバルブの取付構造を示すものには、特許文献１に示すものがある。特許文献１の車両用灯具においては、光源バルブを複数固定したバックカバーを後方からランプボディの挿入口に差し込むことにより、光源バルブが車両用灯具の内部に取り付けられる。
【先行技術文献】
【特許文献】
【０００３】
【特許文献１】実開昭５９−１５２５０３号公報
【発明の概要】
【発明が解決しようとする課題】
【０００４】
特許文献１の車両用灯具においては、まず、バックカバーへ複数のバルブをねじ込む等して固定しなければならないため、バックカバーへの取付作業自体に時間と手間がかかる。更に、バルブのフィラメントは、バックカバーを介してバルブをランプボディに固定した際に、ランプボディに形成された反射面に対して所定の位置に配置されるように設計されているが、特許文献１の車両用灯具は、バックカバーとランプボディとの間に成型精度、組付精度、熱変形などによる位置ずれが発生した場合において、バルブの位置もまたランプボディの挿入口に対してずれを発生するため、バルブのフィラメントと前記反射面との位置決め精度が低い。
【０００５】
本願発明は、上記課題に鑑み、光源となるバルブの組み付け作業が容易で、組み付けコストが安く、バルブ取付部に対するバルブの位置精度が高い車両用灯具と、車両用灯具の組立て方法を提供するものである。
【課題を解決するための手段】
【０００６】
前記課題を解決するために請求項１の車両用灯具は、光源となるバルブを保持する複数のバルブソケットと、該バルブソケットを収納するランプボディと、該ランプボディを前面から覆う前面カバーと、を備える車両用灯具において、前記ランプボディに複数形成され、前記複数のバルブソケットを挿入させるバルブソケット固定部と、前記バルブソケットの仮止部を複数有し、前記複数のバルブソケットが前記仮止部にそれぞれ仮止めされた仮止部材と、仮止めされた前記バルブソケットを前記固定部へ挿入する際に弾性変形すると共に前記固定部の所定の固定位置で復帰する、前記バルブソケットに形成された弾性部を介して前記ランプボディと仮止部材を挟持するバルブソケット装着手段と、を設けた。
【０００７】
（作用）バルブソケットを固定せずに仮止めとすることで、仮止部材には、短時間で簡単に複数のバルブソケットを取り付けることができる。また、仮止されたバルブソケットをランプボディに固定する場合、バルブソケットの弾性部が、バルブソケットをランプボディの固定部へ挿入する際に挿入可能な位置に弾性変形し、更にバルブソケットを固定部の所定の固定位置まで挿入すると元の位置に復帰してランプボディと仮止部材を挟持するため、複数のバルブソケットが、ランプボディの固定部に位置決めされつつ、仮止部材を介してワンタッチで容易かつ迅速にランプボディに取り付けられる。
【０００８】
また、請求項２は、請求項１記載の車両用灯具であって、前記バルブソケット装着手段が、前記固定部の所定の固定位置で前記ランプボディと仮止部材の双方を前記弾性部に向けて付勢する付勢手段を前記バルブソケットに有するようにした。
【０００９】
（作用）バルブソケットをランプボディの固定部の固定位置まで挿入すると、バルブソケットの付勢手段がランプボディと仮止部材の双方をバルブソケットの弾性部に付勢することによって、ランプボディと仮止部材が弾性部と付勢手段に挟持されるため、バルブソケットが、ランプボディと仮止め部材の双方に位置決め固定される。
【００１０】
請求項３は、請求項１または２に記載の車両用灯具であって、前記複数のバルブソケットを集約して接続した集約コネクタを前記仮止部材に配置した。
【００１１】
（作用）各バルブソケットへの配線が一つのコネクタに集約されているため、バルブソケットの取付時や交換時における電源供給ケーブルの取付作業を迅速かつ容易に行なうことが出来る。
【００１２】
請求項４の車両用灯具は、光源となるバルブを保持する複数のバルブソケットと、該バルブソケットを収納するランプボディと、該ランプボディを前面から覆う前面カバーと、を備える車両用灯具において、前記バルブソケットの仮止部を複数有し、前記複数のバルブソケットが前記仮止部にそれぞれ仮止めされた仮止部材と、前記ランプボディに複数形成され、仮止めされた前記複数のバルブソケットを挿入させるバルブソケット固定部と、を設け、前記仮止部材の複数のバルブソケット仮止部が、前記複数のバルブソケット固定部と略一致する位置に形成されるようにした。
【００１３】
（作用）仮止部材に仮止めした複数のバルブソケットの向きを調節しなくても、ランプボディの複数の固定部へ対応する各バルブソケットを挿入しやすくなる。
【００１４】
請求項５の車両用灯具の組立方法は、光源となるバルブを保持する複数のバルブソケットと、該バルブソケットを収納するランプボディと、該ランプボディを前面から覆う前面カバーと、を備える車両用灯具の組立方法において、前記バルブソケットの仮止部を複数形成した仮止部材に、前記複数のバルブソケットを仮止めする第１の行程と、前記バルブソケットに設けた弾性部を弾性変形させつつ、前記仮止部材に仮止めした前記複数のバルブソケットを前記ランプボディに複数設けた固定部に挿入する第２の行程と、前記固定部の所定の固定位置で元の位置に復帰させた前記弾性部を介して前記ランプボディと仮止部材を挟持させる第３の行程と、有するようにした。
【００１５】
（作用）バルブソケットの組み付け作業が、仮止部材への複数のバルブソケットの仮止めと、ランプボディ固定部に対するバルブユニットの挿入位置に応じてランプボディと仮止部材を挟持するバルブソケットの弾性部を介することにより、ワンタッチで短時間かつ容易に行なわれ、バルブソケットがランプボディの固定部に位置決めされる。
【発明の効果】
【００１６】
請求項１の車両用灯具によれば、光源となるバルブソケットの組み付け作業が容易かつ迅速で、組み付けコストが安くなり、バルブ取付部に対するバルブの位置精度が向上する。
【００１７】
請求項２の車両用灯具によれば、ランプボディに対するバルブソケットの固定が更に強固になり、ランプボディに対するバルブソケットの位置決め精度が更に向上する。
【００１８】
請求項３の車両用灯具によれば、光源となるバルブソケットの組み付け作業が更に容易かつ迅速になり、組み付けコストが安くなる。
【００１９】
請求項４の車両用灯具によれば、複数のバルブソケットの組み付け作業が容易かつ迅速になり、組み付けコストが安くなる。
【００２０】
請求項５の車両用灯具の組立方法によれば、光源となるバルブソケットの組み付け作業が容易かつ迅速で、組み付けコストが安くなり、ランプボディのバルブ取付部に対するバルブの位置精度が向上する。
【図面の簡単な説明】
【００２１】
【図１】第１実施例の車両用灯具におけるバルブソケット、仮止部材の仮止部及びランプボディの固定部を示す分解斜視図。
【図２】仮止部材の正面図。
【図３】第１実施例の車両用灯具の分解断面図。
【図４】バルブソケットを仮止部材に仮止めした分解断面図。
【図５】仮止めしたバルブソケットをランプボディの固定部に固定した際の断面図。
【図６】図５（ｃ）のＩ−Ｉ断面図。
【図７】（ａ）バルブソケットの第２実施例を示す斜視図。（ｂ）仮止部材及びランプボディへの第２実施例のバルブソケットの固定状況を説明する図。
【図８】（ａ）バルブソケットの第３実施例を示す斜視図。（ｂ）仮止部材及びランプボディへの第３実施例のバルブソケットの固定状況を説明する図。
【図９】（ａ）第３実施例のバルブソケットにおける付勢板ばねの変形例を示す斜視図。（ｂ）（ａ）のバルブソケットを後方から見た図。
【発明を実施するための形態】
【００２２】
次に、図１から図６により本発明の車両用灯具の第１実施例を説明する。
【００２３】
第１実施例の車両用灯具１は、透明な樹脂などで形成した前面カバー２、樹脂製のランプボディ３、仮止部材４、光源となる複数のバルブソケット（５〜７）を有する。前面カバー２は、ランプボディ３に一体化され、ランプボディ３の内側には、灯室Ｓが画成される。また、図３に示すように前面カバー２側を車両前方（符号Ｆ方向）、ランプボディ３側を車両後方（符号Ｒ方向）とすると、ランプボディ３の後方の後方には、仮止部材４が配置され、仮止部材４には、複数のバルブソケット５が仮止めされると共に、集約コネクタ８が装着される。
【００２４】
ランプボディ３における複数のバルブソケット（５〜７）の所定の取り付け位置には、同一の略十字形状の貫通孔である固定部（９〜１１）が所定の間隔で設けられる。また、ランプボディ３の内側における固定部（９〜１１）の周囲には、それぞれ取り付けられたバルブソケット（５〜７）からの出射光を車両前方の所定方向に反射する反射面（３ａ〜３ｃ）が形成される。
【００２５】
また、仮止部材４は、金属や樹脂等で形成された板状部材である。仮止部材４を金属で形成すれば、安価に形成でき、仮止部材４を樹脂で形成すれば、軽量化を図ることが出来る。また、図２に示す平板形状の仮止部材４には、ランプボディ３の固定部（９〜１１）と対応する位置にバルブソケット（５〜７）の仮止部（１２〜１４）が形成され、更に集約コネクタの取付部４ａが形成される。仮止部（１２〜１４）は、固定部（９〜１１）と略同一の大きさを有する十字形状の貫通孔であり、固定部（９〜１１）と同じ間隔で形成される。集約コネクタ取付部４ａは、貫通する角孔である。
【００２６】
尚、第１実施例の仮止部材４は、ランプボディ３における各バルブソケット（５〜７）の取付位置が前後に一致しているものとして、図２のような平板形状に形成している。しかし、各バルブソケット（５〜７）の取付位置が前後にずれるような場合には、ランプボディ３の背面形状に基づいて仮止部材４に前後方向の段差部を設ける等し、仮止部（１２〜１４）の前後位置を固定部（９〜１１）の前後位置に合わせて形成する。
【００２７】
バルブソケット（５〜７）は、樹脂製で同一の形状を有するバルブソケット本体（５ａ〜７ａ）と、バルブソケット本体（５ａ〜７ａ）の前端に保持されたバルブ（５ｂ〜７ｂ）によって構成される。またバルブソケット（５〜７）は、バルブソケット本体（５ａ〜７ａ）の後方から伸びるケーブル１５によってそれぞれ集約コネクタ８に接続されている。集約コネクタ８は、仮止部材４の集約コネクタ取付部４ａに挿入固定する角形のランス部８ａを前端に有する。
【００２８】
また、バルブソケット本体（５ａ〜７ａ）の上下には、一対の凹凸ランス部（１６，１７）が一体に設けられ、バルブソケット本体（５ａ〜７ａ）の左右には、一対の付勢板ばね（１８，１９）が一体に設けられる。尚、本実施例において、凹凸ランス部（１６，１７）と一対の付勢板ばね（１８，１９）は、仮止部（１２〜１４）を有する仮止部材及びランプボディ３の固定部（９〜１１）と協働して、図１のバルブソケット装着手段１００を構成する。
【００２９】
凹凸ランス部（１６，１７）は、バルブソケット本体（５ａ〜７ａ）の上面後端部から上方に伸びて前方に屈曲する凸部（１６ａ，１７ａ）と、その前方で下方に凹む凹部（１６ｂ，１７ｂ）と、更にその前方の返し部（１６ｃ，１７ｃ）とが一体に形成される。
【００３０】
バルブソケット本体（５ａ〜７ａ）の横幅は、それぞれ固定部（９〜１１）の横穴（９ａ〜１１ａ）と略同一の幅に形成される。また、バルブソケット本体（５ａ〜７ａ）の高さは、それぞれ固定部（９〜１１）の横穴（９ａ〜１１ａ）より高く形成される。また、凹部１６ｂの上面から凹部１７ｂの下面までの距離は、固定部（９〜１１）の縦穴（９ｂ〜１１ｂ）の高さと略同一に形成される。その結果、バルブソケット（５〜７）は、固定部（９〜１１）へ取り付けた際にバルブソケット本体（５ａ〜７ａ）が固定部（９〜１１）に係合することで、ランプボディ３に対して上下左右方向に位置決めされる。
【００３１】
尚、仮止部（１２〜１４）の横穴（１２ａ〜１４ａ）の横幅は、固定部（９〜１１）の横穴（９ａ〜１１ａ）の横幅より若干広く、縦穴（１２ｂ〜１４ｂ）の高さは、縦穴（９ｂ〜１１ｂ）より若干高い。その結果、仮止部（１２〜１４）に挿入されたバルブソケット（５〜７）は、図２に示すように仮止部（１２〜１４）との間に微少クリアランスを形成しつつ、縦穴（１２ｂ〜１４ｂ）が凹部（１６ｂ，１７ｂ）のに配置されることによって、仮止部（１２〜１４）に仮止めされる。
【００３２】
また、凹部（１６ｂ、１７ｂ）の前後の奥行きは、ランプボディ３及び仮止部材４の合計板厚と略同一に形成される。その結果、バルブソケット（５〜７）を固定部（９〜１１）及び仮止部（１２〜１４）に挿入すると、凹部（１６ｂ、１７ｂ）が、固定部（９〜１１）と仮止部（１２〜１４）の開口周縁部を挟持するため、バルブソケット（５〜７）は、ランプボディ３と仮止部材４に対して前後方向に位置決めされる。尚、凹凸ランス部は、第１実施例のように複数設けずに１つだけにしてもよいが、前後の抜け止め作用を向上させる点で複数設けた方がより望ましい。
【００３３】
また、付勢板ばね（１８，１９）は、左右後端部から前方に向かって湾曲し、先端に当接部（１８ａ，１９ａ）を有する。当接部（１８ａ，１９ａ）の先端は、凹部の後面（１６ｄ，１７ｄ）よりも前方まで伸びるよう形成される。その結果、前方から順番にランプボディ３と仮止部材４が、凹部（１６ｂ、１７ｂ）に挟持されると、当接部（１８ａ，１９ａ）が、仮止部材４の後面によって後方に押されて弾性変形し、ランプボディ３と仮止部材４を返し部（１６ｃ，１７ｃ）へ付勢することにより、ランプボディ３とバルブソケット（５〜７）のガタツキを防止する。
【００３４】
尚、付勢板ばねは、バルブソケット本体（５ａ〜７ａ）の上下又は左右に略対称になるよう、少なくとも一対は設けられる。また、凹凸ランス部（１６，１７）は、ランプボディ３と仮止部材４を付勢板ばね（１８，１９）と返し部（１６ｃ，１７ｃ）との間に挟持させることで、バルブソケット（５〜７）がランプボディ３に対して前後に位置決めされるため、凸部（１６ａ、１７ａ）を省略して図７に示すような凹凸のないランス部（３１，３２）のようにしても良い。また、凹凸ランス部（１６，１７）と付勢板ばね（１８，１９）には、固定部（９〜１１）への取り付け時る際に破損せず、かつランプボディ３と仮止部材４を十分に付勢できるよう、十分な強度を持たせるようにする。
【００３５】
次に、図１から図６により、第１実施例の車両用灯具の組立方法を説明する。
る。第１実施例の車両用灯具１は、前面カバー２に一体化されたランプボディ３の後方から仮止部材４に仮止めしたバルブソケット（５〜７）を固定部（９〜１１）に押し込んで一体に固定して形成する。
【００３６】
具体的には、まず、図３のバルブソケット（５〜７）を仮止部材４の仮止部（１２〜１４）に後方から挿入し、図４に示すように仮止めする。バルブソケット（５〜７）は、仮止部（１２〜１４）にそれぞれ挿入されると、凹凸ランス部（１６，１７）の返し部（１６ｃ，１７ｃ）の傾斜面が縦穴（１２ｂ〜１４ｂ）の上部と下部に接触することにより、基端部を軸としてそれぞれ下方と上方に弾性変形する。返し部（１６ｃ，１７ｃ）が仮止部（１２〜１４）を通過すると、凹凸ランス部（１６，１７）は、元の位置に戻る。その際、バルブソケット（５〜７）は、図３に示すように仮止部（１２〜１４）の開口周縁部が凹部（１６ｂ、１７ｂ）間に配置されることで、前後に抜け止めされつつ仮止部（１２〜１４）に仮止めされる。集約コネクタ８は、前方の角形のランス部８ａを集約コネクタ取付部４ａに押し込むことで仮止部材４に固定される。
【００３７】
次に、図４に示すように、仮止部材４の仮止部（１２〜１４）から前方に露出したバルブソケット（５〜７）をランプボディ３の後方からそれぞれ固定部（９〜１１）に押し込んで図５に示すように固定する。押し込む際に凹凸ランス部（１６，１７）は、返し部（１６ｃ，１７ｃ）の傾斜面が縦穴（９ｂ〜１１ｂ）の上部と下部に接触することにより、基端部を軸としてそれぞれ下方と上方に弾性変形する。返し部（１６ｃ，１７ｃ）が固定部（９〜１１）を通過すると、凹凸ランス部（１６，１７）は、元の位置に戻り、返し部（１６ｃ，１７ｃ）がランプボディの前面と接触する。その際、付勢板ばね（１８、１９）は、当接部（１８ａ，１９ａ）が仮止部材４の後面に押されて後方に弾性変形すると共に、仮止部材４及びランプボディ３を凹部（１６ｂ、１７ｂ）に挟持した状態で返し部（１６ｃ，１７ｃ）に付勢する。
【００３８】
バルブソケット（５〜７）は、固定部（９〜１１）の横穴（９ａ〜１１ａ）にバルブソケット本体（５ａ〜７ａ）の上下左右の外周面が係合することで、ランプボディ３に対して上下左右に位置決めされる。更にバルブソケット（５〜７）は、凹部（１６ｂ、１７ｂ）間に挟持され、更に返し部（１６ｃ、１７ｃ）と付勢板ばね（１８，１９）に挟持されることよって、より強固に固定され、更に正確に前後に位置決めされる。このように、第１実施例の車両用灯具によれば、仮止部材４へ一旦仮止めしたバルブソケット（５〜７）に凹凸ランス部（１６，１７）と付勢板ばね（１８，１９）を設けることにより、バルブソケット（５〜７）をランプボディにワンタッチで正確に位置決め固定することが出来る。また、集約コネクタ８には、電源ケーブル２０のコネクタ２１が装着される。
【００３９】
次に図７により、車両用灯具（バルブソケット）の第２実施例を説明する。第２実施例のバルブソケット３０は、バルブソケット本体３０ａの上下面後端部中央に上下一対のランス部（３１，３２）を有する点で第１実施例のバルブソケット（５〜７）と共通するが、付勢板ばね（３３〜３６）をバルブソケット本体３０ａの左右側面では無く、上下面の後端部においてランス部（３１，３２）の左右に一対ずつ設けた点で異なっている。また、ランス部（３１，３２）は、凹凸ランス部（１６，１７）のような凹部を持たず、バルブソケット本体３０ａの上下面の後端部から上下に伸びて前方に屈曲した板状部（３１ａ，３２ａ）の先端に返し部（３１ｂ、３２ｂ）が一体化されて構成されている。付勢板ばね（３３〜３６）は、バルブソケット本体３０ａの上下面の後端部から前方に向かって湾曲し、先端に当接部（３３ａ〜３６ａ）を有する。
【００４０】
図示しないランプボディ側の固定部は、第１実施例と同様に十字形状の貫通孔として形成され、横穴の横幅がバルブソケット本体の幅と略同一に形成され、横穴の高さがバルブソケット本体の高さと略同一に形成され、樹脂板状部（３１ａ，３２ａ）の間隔が縦穴の高さと略同一に形成される。仮止め部材３７の仮止部３８は、第１実施例と同様に図示しない固定部と略同一の大きさである十字形状の貫通孔として形成され、固定部と同じ間隔で形成される。
【００４１】
図７（ａ）のバルブソケット３０は、仮止部材３７の仮止部３８に後方から挿入されて、図７（ｂ）に示すように仮止部３８との間に微少クリアランスを形成しつつ、仮止部３８に仮止めされる。バルブソケット３０は、返し部（３１ｂ、３２ｂ）と付勢板ばね（３３〜３６）の当接部（３３ａ〜３６ａ）との間に仮止部材３７が配置されることによって、前後に抜け止めされる。更にバルブソケット３０は、仮止部材３７の仮止部３８から前方に露出したバルブソケット３０を図示しないランプボディの後方からそれぞれ固定部に押し込むと、ランス部（３１，３２）が下方と上方に弾性変形すると共に、返し部（３１ｂ、３２ｂ）が固定部を通過すると元の位置に戻り、返し部（３１ｂ，３２ｂ）が図示しないランプボディの前面と接触する。付勢板ばね（３３〜３６）は、当接部（３３ａ〜３６ａ）が仮止部材３７の後面に押されて後方に弾性変形すると共に、仮止部材３７及び図示しないランプボディを返し部（３１ｂ，３２ｂ）に付勢する。
【００４２】
バルブソケット３０は、図示しないランプボディの固定部の横穴にバルブソケット本体３０ａの上下左右の外周面が係合して左右に位置決めされ、返し部（３１ｂ，３２ｂ）と付勢板ばね（３３〜３６）の当接部（３３ａ〜３６ａ）が図示しないランプボディと仮止部材３７を挟持して前後に位置決めされることで、ランプボディにワンタッチで位置決め固定される。
【００４３】
次に図８により、車両用灯具（バルブソケット）の第３実施例を説明する。第２実施例のバルブソケット４０は、樹脂製で外周形状が円形のバルブソケット本体４０ａを有する。また、バルブソケット本体４０ａの外周面後端部には、上下一対の対照なランス部（４１，４２）と、左右一対の対照な付勢板ばね（４３、４４）が設けられる。ランス部（４１，４２）は、第２実施例と同様にバルブソケット本体４０ａの後端部から上下に伸びて前方に屈曲した樹脂板状部（４１ａ，４２ａ）の先端に返し部（４１ｂ、４２ｂ）が一体化されて構成されている。付勢板ばね（４３，４４）は、バルブソケット本体４０ａの左右後端部から前方に向かって湾曲し、先端に当接部（４３ａ，４４ａ）を有する。
【００４４】
仮止部材４５の仮止部４６は、バルブソケット本体４０ａより円孔部４６ａの上下に対照な角穴部（４６ｂ，４６ｃ）が連続した貫通孔として形成されている。円孔部４６ａの内径は、バルブソケット本体４０ａの外径より微少径大きく、角穴部（４６ｂ，４６ｃ）間の高さは、板状部（４１ａ，４２ａ）の上下面間隔より微少長さ高く、角穴部（４６ｂ，４６ｃ）の幅は、ランス部（４１，４２）の左右幅より微少長さ広く形成される。その結果、仮止部４６に挿入されたバルブソケット４０は、図８（ｂ）に示すように微少クリアランスを画成しつつ、仮止部４６に仮止めされる。一方、図示しないランプボディ側の固定部は、仮止部４５と同様に円孔部の上下に対照な角穴部が連続した貫通孔として形成される。しかし、図示しない固定部の円孔部の内径は、バルブソケット本体４０ａの外径と略同一に形成され、固定部の角穴部間の高さは、板状部（４１ａ，４２ａ）の上下面間隔と略同一に形成され、角穴部の幅は、ランス部（４１，４２）の左右幅と略同一の形成される。
【００４５】
図８（ａ）のバルブソケット４０は、仮止部材４５の仮止部４６に後方から挿入されて仮止部４６に仮止めされる。仮止部４６から前方に露出したバルブソケット４０を図示しないランプボディの後方からそれぞれ固定部に押し込むと、ランス部（４１，４２）がそれぞれ下方と上方に弾性変形し、固定部通過後に元の位置に戻り、返し部（４１ｂ，４２ｂ）が図示しないランプボディの前面と接触する。この時、付勢板ばね（４３，４４）は、当接部（４３ａ，４４ａ）が仮止部材４５の後面に押されて後方に弾性変形すると共に、仮止部材４５及び図示しないランプボディを返し部（４１ｂ，４２ｂ）に付勢する。
【００４６】
その結果、バルブソケット４０は、図示しないランプボディの固定部の円孔部に円形のバルブソケット本体３０ａの外周面が係合して仮止部材４５の面方向に対して位置決めされると共に、ランス部（４１，４２）が図示しない固定部の角穴部に接触して左右両端部を保持されることにより、仮止部４６に対して周り止めされる。更にバルブソケット４０は、返し部（４１ｂ，４２ｂ）と付勢板ばね（４３，４４）が図示しないランプボディと仮止部材４５を挟持して前後に位置決めされることで、ランプボディにワンタッチで位置決め固定される。
【００４７】
また、第３実施例の付勢板ばね（４３，４４）は、図９（ａ）（ｂ）に示すような形状にしてもよい。図９の付勢板ばね（４７，４８）は、バルブソケット本体４０ａ外周面中央部の左右に対照に設けられた略Ｃの字状の板状部（４７ａ，４８ａ）と、板状部（４７ａ，４８ａ）の中央部において前方に突設されたリブ状の当接部（４７ｂ，４８ｂ）を有する。仮止部材４５に固定したバルブソケット４０をランプボディ（図示せず）の固定部に押し込むと、リブ状の当接部（４７ｂ，４８ｂ）が仮止部材４５の後面によって後ろに押圧され、略Ｃの字状の板状部（４７ａ，４８ａ）が基端部を軸にして弾性変形する。その結果、仮止部材４５とランプボディ（図示せず）がランス部（４１，４２）とリブ状当接部（４７ｂ，４８ｂ）の間に挟持されることにより、バルブソケット４０は、ランプボディに位置決め固定される。
【符号の説明】
【００４８】
１                車両用灯具
２                前面カバー
３                ランプボディ
４                仮止部材
５〜７            バルブソケット
８                集約コネクタ
９〜１１          固定部
１２〜１４        仮止部
１６、１７        凹凸ランス部（弾性部）
１８，１９        付勢板ばね（付勢手段）
１００            バルブソケット装着手段
３０              バルブソケット
３７              仮止部材
３８              仮止部
３１、３２        ランス部（弾性部）
３３〜３６        付勢板ばね（付勢手段）
４０              バルブソケット
４１、４２        ランス部（弾性部）
４３、４４        付勢板ばね（付勢手段）
４５              仮止部材
４６              仮止部
４７，４８        付勢板ばね
【図１】
0005566770.tif 000002
【図２】
0005566770.tif 000003
【図３】
0005566770.tif 000004
【図４】
0005566770.tif 000005
【図５】
0005566770.tif 000006
【図６】
0005566770.tif 000007
【図７】
0005566770.tif 000008
【図８】
0005566770.tif 000009
【図９】
0005566770.tif 000010